(57)【要約】【課題】払い出した硬貨の一部が受け皿に残されてしまうことを防止する。【解決手段】実施形態の硬貨払出装置は、払出手段、検出手段及び警報手段を備える。払出手段は、受け皿へと硬貨を払い出す。検出手段は、受け皿に払い出された硬貨の少なくとも一部が取り出された可能性があることを検出する。警報手段は、払出手段が硬貨の払い出しを開始してから当該払い出しが完了するまでの間に上記の取り出しの可能性があることが検出手段により検出されたことに応じて、予め定められた警報動作を実行する。【選択図】      図４
2018160146.tif 000002
【特許請求の範囲】
【請求項１】
受け皿へと硬貨を払い出す払出手段と、
前記受け皿に払い出された硬貨の少なくとも一部が取り出された可能性があることを検出する検出手段と、
前記払出手段が硬貨の払い出しを開始してから当該払い出しが完了するまでの間に前記取り出しの可能性があることが前記検出手段により検出されたことに応じて、予め定められた警報動作を実行する警報手段と、
を具備した硬貨払出装置。
【請求項２】
前記検出手段は、前記受け皿に硬貨が無いことをもって前記取り出しの可能性があると検出する、
請求項１に記載の硬貨払出装置。
【請求項３】
前記払出手段は、金額を指定しての硬貨払出が指示された場合に、当該指定された金額分の硬貨を払い出す、
請求項１又は請求項２に記載の硬貨払出装置。
【請求項４】
受け皿へと硬貨を払い出す払出手段と、
前記受け皿に硬貨が無いことを検出する検出手段と、
決済すべき金額と入金された金額とから算出した釣銭額の硬貨の払い出しを前記払出手段に指示する指示手段と、
前記指示手段による指示に応じて前記払出手段が硬貨の払い出しを開始してから当該払い出しが完了するまでの間に前記受け皿に硬貨が無いことが前記検出手段により検出されたことに応じて、予め定められた警報動作を実行する警報手段と、
を具備した決済装置。
【請求項５】
受け皿へと硬貨を払い出す払出手段と、
前記受け皿に払い出された硬貨の少なくとも一部が取り出された可能性があることを検出する検出手段と、
を備えた硬貨払出装置を制御するコンピュータを、
前記払出手段が硬貨の払い出しを開始してから当該払い出しが完了するまでの間に前記取り出しの可能性があることが前記検出手段により検出されたことに応じて、予め定められた警報動作を実行する警報手段、
として機能させるためのプログラム。
【発明の詳細な説明】
【技術分野】
【０００１】
本発明の実施形態は、硬貨払出装置、決済装置及びそのプログラムに関する。
【背景技術】
【０００２】
釣銭としての複数枚の硬貨を受け皿へと順次に払い出す硬貨払出装置が知られている。
この種の硬貨払出装置は、釣銭の払い出しを開始してから、その払い出しが完了するまでにある程度の時間を要することになる。
【０００３】
このため、先行して払い出された硬貨だけが受け皿から取り去られ、後から払い出される残りの硬貨が受け皿に残されてしまう事態が生じ得る。
特に、硬貨の搬送に一時的な支障が生じ、硬貨の払い出しの間隔が一時的に長くなってしまうと、人間は釣銭全額の払い出しが完了したと勘違いしてしまう恐れがある。そしてこのような場合には、上記のような事態が発生しかねない。
このような事情から、払い出した硬貨の一部が受け皿に残されてしまうことを防止できることが望まれていた。
【先行技術文献】
【特許文献】
【０００４】
【特許文献１】特開２０１２−１６４１４２号公報
【特許文献２】特開２０１４−１３４８８号公報
【発明の概要】
【発明が解決しようとする課題】
【０００５】
本発明が解決しようとする課題は、払い出した硬貨の一部が受け皿に残されてしまうことを防止できる硬貨払出装置、決済装置及びそのプログラムを提供することである。
【課題を解決するための手段】
【０００６】
実施形態の硬貨払出装置は、払出手段、検出手段及び警報手段を備える。払出手段は、受け皿へと硬貨を払い出す。検出手段は、受け皿に払い出された硬貨の少なくとも一部が取り出された可能性があることを検出する。警報手段は、払出手段が硬貨の払い出しを開始してから当該払い出しが完了するまでの間に上記の取り出しの可能性があることが検出手段により検出されたことに応じて、予め定められた警報動作を実行する。
【図面の簡単な説明】
【０００７】
【図１】一実施形態に係るセルフチェックアウト装置の外観の斜視図。
【図２】図１に示すセルフチェックアウト装置の一部を示す斜視図。
【図３】図１に示すセルフチェックアウト装置の要部回路構成を示すブロック図。
【図４】アプリケーションプログラムに基づく図１中のＣＰＵによる情報処理のフローチャート。
【発明を実施するための形態】
【０００８】
以下、実施の形態の一例について図面を用いて説明する。なお、本実施形態では、硬貨払出装置としての機能を備えたセルフチェックアウト装置を例に説明する。
図１は本実施形態に係るセルフチェックアウト装置１００の外観の斜視図である。図２はセルフチェックアウト装置１００の一部を示す斜視図である。なお本実施形態のセルフチェックアウト装置１００は、セルフチェックアウト式のＰＯＳ端末、あるいはセルフレジ装置とも呼ばれる。セルフチェックアウト装置１００は、買物客により操作される。従って、買物客がセルフチェックアウト装置１００の操作者である。ただし、店員がセルフチェックアウト装置１００の操作者となることもある。
【０００９】
セルフチェックアウト装置１００は、本体１及び計量ユニット２，３を含む。
本体１は、タッチパネル１０、スキャナ窓１１、ハンディスキャナ１２、レシート発行口１３、カード挿入口１４、硬貨投入皿１５、受け皿１６、リジェクト皿１７、紙幣挿入口１８、紙幣払出口１９及びパトランプ２０を含む。
【００１０】
タッチパネル１０は、買物客に各種の情報を報知するための各種の画面を表示する。この画面は例えば、次のようなものである。(1)買物客に操作方法を知らせるための案内画面。(2)バーコードが付されていない商品の情報を入力するための情報入力画面。(3)バーコード読取りに基づく情報を表示する読取情報表示画面。(4)購入代金を支払う支払作業に際しての合計購入金額・預かり金額・釣り銭額などを表示する決済画面。これらの画面の一部はＧＵＩ（graphical user interface）を構成するものであって、タッチパネル１０はＧＵＩの操作のためのタッチ操作を受け付ける。
【００１１】
スキャナ窓１１は、本体１に形成した開口を透明な樹脂またはガラスなどで覆って形成される。スキャナ窓１１は、スキャナ窓１１の前に買物客により翳された商品を、本体１の内部に配置される固定スキャナによりスキャン可能とする。固定スキャナについては後述する。
ハンディスキャナ１２は、商品に表示されたバーコードを読み取って、そのバーコードが表した情報を出力する。
【００１２】
レシート発行口１３は、レシートを本体１の外部に排出するためのスリット状の開口である。
カード挿入口１４は、カードを本体１の内部へと挿入し、またそのカードを本体１の外部へと排出するためのスリット状の開口である。
【００１３】
硬貨投入皿１５は、決済のために買物客が投入する硬貨を受ける。硬貨投入皿１５の底面には、開口１５ａが形成されており、硬貨投入皿１５が受けた硬貨は、開口１５ａから本体１の内部に取り込まれる。
受け皿１６は、本体１から釣銭として払い出される硬貨を受ける。
リジェクト皿１７は、本体１から使用不能であるとして排出される硬貨を受ける。
【００１４】
紙幣挿入口１８は、決済のために買物客が挿入する紙幣を本体１の内部へと取り込むためのスリット状の開口である。
紙幣払出口１９は、本体１から釣銭としての紙幣を払い出すためのスリット状の開口である。紙幣払出口１９は、紙幣を、その一部を本体１の外部に突出させた状態で保持する。
パトランプ２０は、警報のための点滅動作を行う。
【００１５】
計量ユニット２は、未登録の商品を載置するための台２ａを含む。計量ユニット２は、台２ａに載置された商品の総重量を計測する。
計量ユニット３は、登録済みの商品を載置するための台３ａ，３ｂと、登録済みの商品を入れる袋を掛けるアーム３ｃとを含む。計量ユニット３は、台３ａ，３ｂに載置された商品と、アーム３ｃに掛けられた袋に入れられた商品との総重量を計測する。
【００１６】
図３はセルフチェックアウト装置１００の要部回路構成を示すブロック図である。なお、図３において図１，２と同一の要素には同一の符号を付し、その詳細な説明は省略する。
図３に示すようにセルフチェックアウト装置１００は、前述の計量ユニット２，３、タッチパネル１０、ハンディスキャナ１２及びパトランプ２０の他に、ＣＰＵ（central processing unit）２１、ＲＯＭ（read-only memory）２２、ＲＡＭ（random-access memory）２３、補助記憶ユニット２４、固定スキャナ２５、プリンタ２６、カードリーダライタ２７、スピーカユニット２８、硬貨収受ユニット２９、硬貨センサ３０、紙幣収受ユニット３１、紙幣センサ３２及び通信システム３３を含む。そしてこれらＣＰＵ２１、ＲＯＭ２２、ＲＡＭ２３、補助記憶ユニット２４、固定スキャナ２５、プリンタ２６、カードリーダライタ２７、スピーカユニット２８、硬貨収受ユニット２９、硬貨センサ３０、紙幣収受ユニット３１、紙幣センサ３２及び通信システム３３は、本体１に収容されている。また、計量ユニット２，３、タッチパネル１０、ハンディスキャナ１２、ＣＰＵ２１、ＲＯＭ２２、ＲＡＭ２３、補助記憶ユニット２４、固定スキャナ２５、プリンタ２６、カードリーダライタ２７、スピーカユニット２８、硬貨収受ユニット２９、硬貨センサ３０及び紙幣収受ユニット３１は、通信システム３３を介して接続されている。そしてこれにより、ＣＰＵ２１、ＲＯＭ２２、ＲＡＭ２３及び補助記憶ユニット２４によって、セルフチェックアウト装置１００を制御するコンピュータが構成される。
【００１７】
ＣＰＵ２１は、上記コンピュータの中枢部分に相当する。ＣＰＵ２１は、ＲＯＭ２２及び補助記憶ユニット２４に記憶されたオペレーティングシステム及びアプリケーションプログラムに基づいて、セルフチェックアウト装置１００の各種の機能を実現するべく各部を制御する。
【００１８】
ＲＯＭ２２は、上記コンピュータの主記憶部分に相当する。ＲＯＭ２２は、オペレーティングシステム及びアプリケーションプログラムを記憶する。またＲＯＭ２２は、ＣＰＵ２１が各種の処理を行う上で参照するデータを記憶する場合もある。
【００１９】
ＲＡＭ２３は、上記コンピュータの主記憶部分に相当する。ＲＡＭ２３は、ＣＰＵ２１が各種の処理を行う上で参照するデータを記憶する。さらにＲＡＭ２３は、ＣＰＵ２１が各種の処理を行う上で一時的に使用するデータを記憶しておく、いわゆるワークエリアとして利用される。
【００２０】
補助記憶ユニット２４は、上記のコンピュータの補助記憶部分に相当する。補助記憶ユニット２４は、ＣＰＵ２１が各種の処理を行う上で使用するデータ、あるいはＣＰＵ２１での処理によって生成されたデータを保存する。補助記憶ユニット２４は，アプリケーションプログラムを記憶する場合もある。補助記憶ユニット２４としては、例えばＥＥＰＲＯＭ（electric erasable programmable read-only memory）、ＨＤＤ（hard disk drive）、あるいはＳＳＤ（solid state drive）などを使用できる。
【００２１】
固定スキャナ２５は、スキャナ窓１１の前に翳された商品を撮像した上で、当該商品に表示されたバーコードを画像処理によって識別する。そして固定スキャナ２５は、識別したバーコードが表す情報をＣＰＵ２１へ出力する。なお、固定スキャナ２５は、レーザ光の反射を利用してバーコードを識別するような他のタイプの周知のデバイスを利用することもできる。
【００２２】
プリンタ２６は、レシートプリンタ及びジャーナルプリンタを含む。レシートプリンタは、レシート用紙に各種の情報をプリントすることにより各種の証票を発行する。各種の証票は、商取引の内容などを表したレシートなどである。レシートプリンタにより発行される証票は、レシート発行口１３から本体１の外部へと排出される。ジャーナルプリンタは、レシートプリンタによりレシート用紙にプリントされる情報を含んだジャーナルデータをジャーナル用紙にプリントする。ジャーナル用紙は、保守者によって取り出されない限りは、本体１の内部に保留される。
【００２３】
カードリーダライタ２７は、カード挿入口１４へと買物客によって挿入されるカードに記録されたデータを読み取る。カードリーダライタ２７は、上記のカードへデータを書き込む。カードは、ポイントカード及び決済用のＩＣカードなどである。カードリーダライタ２７は、必要な処理を終えたカードをカード挿入口１４から本体１の外部へと排出する。カード挿入口１４は、排出するカードを、その一部を本体１の外部に突出させた状態で保持する。
【００２４】
スピーカユニット２８は、スピーカ及び駆動回路を含む。スピーカユニット２８は、ＣＰＵ２１の制御の下に任意の音を出力する。
【００２５】
硬貨収受ユニット２９は、硬貨投入皿１５の開口１５ａから本体１の内部に取り込まれた硬貨を収容する。硬貨収受ユニット２９は、釣銭としての硬貨を受け皿１６へと払い出す。かくして硬貨収受ユニット２９は払出手段の一例である。
硬貨センサ３０は、受け皿１６に払い出された硬貨を検出する。硬貨センサ３０としては、例えば硬貨の近接による磁界変化を検出するもの、又は硬貨による光路の遮断の有無を検出するものなどの、様々な周知のデバイスを利用できる。この硬貨センサ３０は、検出手段の一例である。
【００２６】
紙幣収受ユニット３１は、紙幣挿入口１８から挿入された紙幣を収容する。紙幣収受ユニット３１は、釣銭としての紙幣を紙幣払出口１９から払い出す。
紙幣センサ３２は、紙幣払出口１９により保持されている紙幣を検出する。紙幣センサ３２としては、例えば紙幣の近接による磁界変化を検出するもの、又は紙幣による光路の遮断の有無を検出するものなどの、様々な周知のデバイスを利用できる。
【００２７】
通信システム３３は、接続された各部の間で授受されるデータ及び信号を伝送するシステムバスと、このシステムバスに各部を接続するためのインタフェース回路とを含む。
【００２８】
次に以上のように構成されたセルフチェックアウト装置１００の動作について説明する。
セルフチェックアウト装置１００が待機状態にあるとき、ＣＰＵ２１は各種の指示がなされるのを待ち受けている。そしてＣＰＵ２１は、商取引に関する会計の実施を指示する操作が例えばタッチパネル１０にて行われたことに応じて、ＲＯＭ２２又は補助記憶ユニット２４に記憶されたアプリケーションプログラムに従った情報処理を開始する。
【００２９】
図４はアプリケーションプログラムに基づくＣＰＵ２１による情報処理のフローチャートである。なお、以下に説明する処理の内容は一例であって、同様な結果を得ることが可能な様々な処理を適宜に利用できる。
【００３０】
Ａｃｔ１としてＣＰＵ２１は、買上商品を登録するための登録処理を行う。ＣＰＵ２１は具体的には、操作者による登録操作が行われるのを待ち受ける。登録操作は、買上商品をスキャナ窓１１の前に翳す動作、買上商品に表示されたバーコードにハンディスキャナ１２を近接させる動作、あるいは買上商品を指定するべくタッチパネル１０にタッチする動作などである。
【００３１】
買上商品がスキャナ窓１１の前に翳されると、固定スキャナ２５は、当該買上商品に表示されたバーコードを画像処理によって認識し、当該バーコードが表す情報をＣＰＵ２１に送る。バーコードにハンディスキャナ１２が近接されると、ハンディスキャナ１２はバーコードを識別し、当該バーコードが表す情報をＣＰＵ２１に送る。買上商品を指定するべくタッチパネル１０にタッチする動作が行われると、タッチパネル１０は、タッチ位置に関する位置情報をＣＰＵ２１に送る。
【００３２】
ＣＰＵ２１は、固定スキャナ２５又はハンディスキャナ１２から送られた情報に含まれる商品コード、又はタッチパネル１０から送られたタッチ位置に関連付けられた商品コードを、買上商品の商品コードとして判定する。そしてＣＰＵ２１は、この商品コードで識別される商品を買上商品のリストに追加するべく、ＲＡＭ２３に設定された商品リストエリアの情報を更新する。
【００３３】
そしてＣＰＵ２１は、全ての買上商品の登録が済み、会計処理の実施を指示する操作が例えばタッチパネル１０にて行われたならば、登録処理を終了してＡｃｔ２へと進む。
Ａｃｔ２としてＣＰＵ２１は、会計処理を行う。ＣＰＵ２１は具体的には、登録された全ての買上商品の売買のために決済すべき決済金額を算出する。そしてＣＰＵ２１は、算出した決済金額を、複数の決済方法のうちから操作者が指定した決済方法を用いて決済する。決済方法としては、現金、クレジットカード、デビットカード、プリペイドカード、電子マネー、ポイント及び金券などを用いる種々の決済方法を適宜に利用できる。
【００３４】
Ａｃｔ３としてＣＰＵ２１は、上記の決済処理の結果、釣銭が生じたか否かを確認する。そしてＣＰＵ２１は、釣銭が生じているためにＹｅｓと判定したならば、Ａｃｔ４へと進む。
Ａｃｔ４としてＣＰＵ２１は、会計処理において求められる釣銭額に基づいて、金種毎の払い出し枚数を決定し、そのうちの硬貨分については硬貨収受ユニット２９に対して、また紙幣分については紙幣収受ユニット３１に対して、払い出しの開始を指示する。かくしてアプリケーションプログラムに基づく情報処理をＣＰＵ２１が実行することによって、ＣＰＵ２１を中枢部分とするコンピュータは指示手段として機能する。この指示を受けて硬貨収受ユニット２９及び紙幣収受ユニット３１は、釣銭としての硬貨及び紙幣を払い出す。払い出された硬貨及び紙幣は、受け皿１６及び紙幣払出口１９により保持される。なお、紙幣収受ユニット３１は、釣銭として複数枚の紙幣を払い出す必要があるならば、該当する複数枚の紙幣を互いに重ねた状態で一度に払い出す。しかしながら硬貨収受ユニット２９は、収納庫に収納された硬貨を金種毎に一枚ずつ送り出し、そのまま受け皿１６へと順次に払い出す。最初の一枚の硬貨が受け皿１６に払い出されると、硬貨センサ３０は硬貨を検出する状態となる。
【００３５】
Ａｃｔ５としてＣＰＵ２１は、上記のように払い出した硬貨が受け皿１６に残存しているか否かを確認する。そしてＣＰＵ２１は、硬貨センサ３０が硬貨を検出しているならばＹｅｓと判定し、Ａｃｔ６へと進む。
Ａｃｔ６としてＣＰＵ２１は、釣銭としての全ての硬貨の払い出しが完了したか否かを確認する。そしてＣＰＵ２１は、払い出しの途中であるならばＮｏと判定し、Ａｃｔ５へと戻る。
かくしてＣＰＵ２１はＡｃｔ５及びＡｃｔ６としては、払い出し済みの硬貨が全て取り去られるか、あるいは釣銭としての全ての硬貨の払い出しが完了するのを待ち受ける。この状態で、釣銭のうちの一部である払い出し済みの硬貨の全てを操作者が取り去ると、硬貨センサ３０が硬貨を検出しなくなる。そうするとＣＰＵ２１は、Ａｃｔ５にてＮｏと判定し、Ａｃｔ７へと進む。なお、このときには硬貨収受ユニット２９は硬貨の払い出しのための動作を継続しているのであり、次の硬貨が払い出されると、硬貨センサ３０は再び硬貨を検出する状態となる。
【００３６】
Ａｃｔ７としてＣＰＵ２１は、釣銭払い出しの途中であることを操作者に報知するための警報動作を実行する。警報動作の１つは、上記報知のために予め定められた警報音又は音声メッセージを出力するためのスピーカユニット２８の制御である。警報動作の１つは、上記報知のために予め定められた文字メッセージ及び画像の少なくとも一方を表示するためのタッチパネル１０の制御である。警報動作の１つは、上記報知のために予め定められた点灯のためのパトランプ２０の制御である。ＣＰＵ２１は、Ａｃｔ７としては、これらの警報動作の１つ又は複数を実行する。これにより、警報音又は音声メッセージの出力、文字メッセージ及び画像の少なくとも一方の表示、あるいは点灯などにより、釣銭払い出しの途中であることが操作者に報知される。かくしてアプリケーションプログラムに基づく情報処理をＣＰＵ２１が実行することによって、ＣＰＵ２１を中枢部分とするコンピュータは警報手段として機能する。そしてＣＰＵ２１は、Ａｃｔ５及びＡｃｔ６の待受状態に戻る。
【００３７】
硬貨収受ユニット２９が、釣銭としての全ての硬貨の払い出しを完了すると、ＣＰＵ２１はＡｃｔ６にてＹｅｓと判定し、Ａｃｔ８へと進む。
Ａｃｔ８としてＣＰＵ２１は、レシートを発行する。ＣＰＵ２１は具体的には、今回の商取引の内容を表したレシート画像のデータを生成し、このデータをプリンタ２６へと与える。プリンタ２６は、ＣＰＵ２１から与えられたデータが示すレシート画像をレシートプリンタによりレシート用紙にプリントして、レシート発行口１３から排出する。そしてＣＰＵ２１は、このようにしてレシートの発行を終えたならば、図４に示す情報処理を終了する。
【００３８】
以上のようにセルフチェックアウト装置１００によれば、釣銭としての硬貨を払い出している途中で、既に払い出し済みの硬貨の全てが受け皿１６から取り去られたならば、釣銭払い出しの途中であることが操作者に報知される。従って、継続して硬貨の払い出しが行われることを操作者に認識させることができ、後から払い出される硬貨が受け皿１６に残されてしまうことを防止できる。
【００３９】
この実施形態は、次のような種々の変形実施が可能である。
ＣＰＵ２１による警報動作に応じて実行される動作は、一例としては、予め定められた期間が経過した時点で終了すればよい。しかしながら、当該動作を、全ての硬貨の払い出しが完了し、かつ硬貨が硬貨センサ３０により検出できなくなるまで行えば、残りの釣銭が取り去られるまで操作者への報知が継続されることとなり、取り忘れを防止する効果がさらに高まる。しかしながら、例えば警報音を出力する場合には、その継続時間が長くなりすぎ、周囲に居る人の迷惑となるとともに、操作者の困惑を生じさせる恐れがある。そこで、警報画面に解除を指定するボタンを用意しておき、それがタッチされた場合に警報を終了してもよい。
【００４０】
硬貨の払い出し途中で操作者が硬貨を受け皿１６から取り除いたとしても、その直後の硬貨の払い出し状況によっては、Ａｃｔ５にてＮｏと判定されないことがあり得る。そこで、ＣＰＵ２１は、硬貨の払い出し途中で受け皿１６に存在する硬貨の量が減少したことに応じて、警報動作を行うようにしてもよい。具体的には、受け皿１６に存在する硬貨の量の変化を検出可能なタイプの検出デバイスを硬貨センサ３０として用いる。そしてＣＰＵ２１はＡｃｔ５においては、硬貨センサ３０により検出される硬貨の量が減少したか否かを確認する。そしてＣＰＵ２１は、減少していないと判定した場合にＡｃｔ６へと進み、減少したと判定した場合にＡｃｔ７へと進むようにする。なお、硬貨が実際に取り出されたことが検出されなくとも、取り出された可能性があることが検出できた場合にＣＰＵ２１が警報動作を行ってもよい。例えば、受け皿１６に手が入れられたことをもって、硬貨が取り出された可能性があると検出することができる。あるいは、受け皿１６の複数の領域で硬貨の有無を検出しておき、いずれかの領域において硬貨が検出できる状態から検出できない状態に変化したことをもって、硬貨が取り出された可能性があると検出することができる。
【００４１】
ＣＰＵ２１は、Ａｃｔ６にてＹｅｓと判定したのち、硬貨が硬貨センサ３０により検出できなくなるまで待ってからＡｃｔ８を実行してもよい。このようにすれば、釣銭として払い出された硬貨の全てを受け皿１６から取り去られたのちにレシートが発行されることになる。従って、操作者が受け皿１６に払い出し済みの硬貨を取り忘れている状況においては、そのことを、レシートが発行されないことにより操作者に気付かせることが可能である。
【００４２】
ＣＰＵ２１は、レシートの発行をＡｃｔ２とＡｃｔ３との間に行ってもよい。
【００４３】
セミセルフタイプのような決済のための操作を主として買物客が行う形態の別のチェックアウト装置、あるいは対面型と称される決済のための操作を主として店員が行う形態のチェックアウト装置においても本願の適用が可能である。また、別の登録装置で登録された取引に関する決済を行う決済装置においても本願の適用が可能である。また、自動釣銭機のような決済の機能を備えない装置においても本願の適用が可能である。さらには、硬貨の払い出しの機能のみを備えた硬貨払出装置として実現することもできる。
【００４４】
警報動作は、硬貨を受け皿１６から取り出す操作者に対して直接に報知するための動作には限らず、例えば店員などへの報知を行うことにより、操作者に対しては店員から注意を促すようにしてもよい。
【００４５】
セルフチェックアウト装置１００の使用者への譲渡は一般的に、図４に示す情報処理に関するアプリケーションプログラムがＲＯＭ２２に記憶された状態にて行われる。しかし、セルフチェックアウト装置１００のハードウェアが、上記のアプリケーションプログラムがＲＯＭ２２に記憶されない状態で使用者へと譲渡されてもよい。あるいは、セルフチェックアウト装置１００のハードウェアの使用者への譲渡は、図４に示す情報処理に関するアプリケーションプログラムとは別バージョンのアプリケーションプログラムがＲＯＭ２２に記憶された状態にて行われてもよい。これらの場合、図４に示す情報処理に関するアプリケーションプログラムが、リムーバブルな記録媒体に記録して、あるいはネットワークを介して、上記のハードウェアとは別に使用者へと譲渡される。そして当該アプリケーションプログラムが、例えば使用者による操作に応じて、補助記憶ユニット２４に書き込まれる。リムーバブルな記録媒体としては、磁気ディスク、光磁気ディスク、光ディスク又は半導体メモリなどが利用できる。
【００４６】
情報処理によりＣＰＵ２１が実現する各機能は、その一部または全てをロジック回路などのようなプログラムに基づかない情報処理を実行するハードウェアにより実現することも可能である。また上記の各機能のそれぞれは、上記のロジック回路などのハードウェアにソフトウェア制御を組み合わせて実現することも可能である。
【００４７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４８】
１…本体、２，３…計量ユニット、１０…タッチパネル、１１…スキャナ窓、１２…ハンディスキャナ、１３…レシート発行口、１４…カード挿入口、１５…硬貨投入皿、１６…受け皿、１７…リジェクト皿、１８…紙幣挿入口、１９…紙幣払出口、２０…パトランプ、２１…ＣＰＵ、２２…ＲＯＭ、２３…ＲＡＭ、２４…補助記憶ユニット、２５…固定スキャナ、２６…プリンタ、２７…カードリーダライタ、２８…スピーカユニット、２９…硬貨収受ユニット、３０…硬貨センサ、３１…紙幣収受ユニット、３２…紙幣センサ、３３…通信システム、１００…セルフチェックアウト装置。
【図１】
2018160146.tif 000003
【図２】
2018160146.tif 000004
【図３】
2018160146.tif 000005
【図４】
2018160146.tif 000006